(57)【要約】      （修正有）【課題】必要な種類のゴミ袋を１枚単位で簡単、且つ確実に取り出せるゴミ袋収納容器を提供する。【解決手段】補助具に複数枚の積層されたゴミ袋を三つ折り状態で包み込んだカセット状態のゴミ袋をゴミ袋収納容器の挿入口より着脱することで、ゴミ袋取出口より人の手で１枚のゴミ袋を簡単に取り出すことができる。また、複数のゴミ袋収納容器を構成することで複数種類のゴミ袋を冷蔵庫、食器棚等の設置された空間を利用し整理整頓ができる。【選択図】図２
0003145024.tif 000002
【実用新案登録請求の範囲】
【請求項１】
取付板と上部及び左右側面に開口部を有する複数の収納箱からなり、取付板と複数の収納箱はそれぞれが接着剤又は金具で固定され、複数枚の積層されたゴミ袋を補助具に三つ折り状態で包み込んだゴミ袋カセットが収納箱上部の開口部より挿入でき、収納箱の左右側面の開口部より挿入されたゴミ袋カセットからゴミ袋を１枚単位で取り出せることを特徴とするゴミ袋収納器。
【請求項２】
取付板は、収納箱の取付板との取付側寸法より大きく構成され、上部に取り付け用の複数の孔を備えることにより冷蔵庫等に取り付けた引っ掛けフックに取り付け固定できることを特徴とする請求項１のゴミ袋収納器。
【請求項３】
取付板に磁石を取り付けることにより、冷蔵庫等の金属製の筐体に磁力により取り付け固定できることを特徴とする請求項１のゴミ袋収納器。
【考案の詳細な説明】
【技術分野】
【０００１】  本考案は、ゴミ袋収納器中に複数種類が個別に積層されたゴミ袋を、必要に応じて必要な種類のゴミ袋を１枚単位で簡単、且つ確実に取り出せる技術に関するものである。
【背景技術】
【０００２】  ゴミ袋は、一般的に１０枚単位で積層された状態で２つ折に、または４つ折りに畳まれ、折り畳まれたゴミ袋が収まる大きさに包装し市販されている。又、ゴミ袋は廃棄物を収集する自治体の指定のゴミ袋を使用しなければならない場合が多く、廃棄物の種類により異なった色、異なった大きさ、異なった素材厚のゴミ袋が指定されている。例えば、燃えるゴミ用、燃えないゴミ用、資源ゴミ用等と複数のゴミ袋を一般家庭では取り揃える必要がある。【０００３】  家庭の一般廃棄物を自治体の廃棄物収集日に合わせて指定ゴミ袋に分別してゴミ袋に入れて出す場合、包装を解き折り畳みを元に戻し広げて１枚を取り出している。包装はゴミ袋を折り畳んだ大きさに合わせていることもあり、一度広げたゴミ袋を元通りに折り畳み再包装して保管するに煩雑な作業と手間がかかる問題がある。一般的にはこのような作業は行われることはない。【０００４】  一般的にはダンボール箱等に一旦広げたゴミ袋を煩雑な状態で放り込んで保管している。次に使用する時は、紐解くように広げて１枚を取り出すか、無理やりに引き剥がすように取り出して使用している。【０００５】  煩雑に保管されていることから保管の場所が取られ、見苦しく、自治体指定の家庭の一般廃棄物のゴミ袋を種類の異なるゴミ袋の中から１枚を取り出すには探す手間もかかり、取り出すには苦痛と面倒な手間を要する問題があった。【０００６】  この改善策として、１枚のゴミ袋を広げて、前記ゴミ袋の内側に同じ状態で何枚も重ねて挿入し、内側より必要に応じて１枚単位で取り出し使用する方法がある。この方法も、内側に同じ状態で何枚も重ねて挿入する手間と複数の種類の異なるゴミ袋を保管する場所を必要とし、一般の家庭の台所のスペースから実用には不向きである。
【特許文献１】特開２００７−９１４６１号公報
【考案の開示】
【考案が解決しようとする課題】
【０００７】  解決しようとする問題点は、自治体から指定されているゴミ袋は家庭ゴミの種類によりゴミ袋の種類が異なっており、家庭ゴミの種類に応じた複数種類のゴミ袋を使用する場合に包装を解き折り畳みを元に戻し広げて使用しなければならず、未使用のゴミ袋の保管において整理・整頓が困難であり、また保管場所も広く必要とし、次に使う時に取り出し難い点である。
【課題を解決するための手段】
【０００８】  本考案は、ゴミ袋収納器と補助具にゴミ袋を三つ折に畳んだゴミ袋カセットからなり、複数枚の積層されたゴミ袋に補助具を中央部に載せゴミ袋の両端を内側に三つ折りに畳むことでカセット状態にし、カセット状態のゴミ袋をゴミ袋収納器の収納箱の上部開口部より簡単に着脱でき、複数の収納箱にカセット状態のゴミ袋を挿着することで、複数種類のゴミ袋を必要に応じて必要な種類のゴミ袋を１枚単位で手により簡単に取り出せることを大きな特徴とする。
【考案の効果】
【０００９】  本考案のゴミ袋収納器は、補助具に複数枚の積層されたゴミ袋を三つ折り状態で折り畳んだカセット状態のゴミ袋を複数の収納箱に挿着することで、複数種のゴミ袋を保管できる。また、複数種のゴミ袋のうちから必要とするゴミ袋を収納箱のゴミ袋取出口より１枚単位で人の手により簡単に、且つ確実に取り出すことができるという利点がある。
【考案を実施するための最良の形態】
【００１０】  自治体による一般家庭の家庭ゴミの回収は、家庭ゴミの種類により分別し、指定のゴミ袋により、指定の日時、場所に持ち込むことが義務付けられている。このことにより、燃えるゴミ、燃えないゴミ、資源ゴミ等複数のゴミ袋を一般家庭で準備する必要がある。【００１１】  ゴミ袋は、必要時に直ぐに取り出せるように台所に保管することが一般家庭では行われている。台所には、冷蔵庫、食器棚、等の生活の必需製品も設置されているが、冷蔵庫、食器棚、等の両側には空間が存在する。冷蔵庫、食器棚、等の両側の空間を利用して本発明のゴミ袋収納器を取り付けることにより、床、棚、台等の上に煩雑にゴミ袋を放置することなく保管でき、且つ必要なゴミ袋を簡単に取り出すことができる。
【実施例】
【００１２】  図１は、冷蔵庫１と食器棚２を並べて設置した時の空間をイメージしたものである。
図２は、冷蔵庫１の側面の本発明のゴミ袋収納器３を取り付けた状態を示している。
なお、ゴミ袋収納器３は、食器棚２、台所の壁面、家具等に取り付けて使用してもよい。【００１３】  ゴミ袋収納器３の冷蔵庫１等への取り付けは、冷蔵庫１等にフック（図示せず）を取り付けて、フックに引っ掛ける、ネジ（図示せず）による固定、ゴミ袋収納器３の固定対象が磁石により固定が可能な場合は、ゴミ袋収納器３の背面４にマグネットを取り付け（図示せず）固定してもよい。【００１４】  図３は、ゴミ袋収納器３である。ゴミ袋収納器３は、取付板３ａ、収納箱３ｂ、収納重ね箱３ｃからなり、収納重ね箱はゴミ袋の種類を増やす場合は必要に応じて数を増やすことができる。収納箱３ｂ及び収納重ね箱３ｃの上部にはゴミ袋カセット４が挿入できる上部空間３ｄが設けられ、左右側面にはゴミ袋取出口３ｅが設けられている。【００１５】  上部空間３ｄより挿入されたゴミ袋カセット４の積層されたゴミ袋５の最外層の１枚を手で簡単に取り出すことができる。【００１６】  収納箱３ｂ及び収納重ね箱３ｃのゴミ袋取り出し口３ｅは、ゴミ袋収納器３の設置場所により、収納箱の前部の前部ゴミ袋取出口３ｆに設けてもよい。【００１７】  図４は、ゴミ袋カセット４の補助具５である。２本の柱状体５ａからなり、弾性体５ｂにより並列に連結固定されている。弾性体５ｂはコイルバネを使用し、コイルバネと柱状体５ａはコイルバネのフック部５ｃで固定されている。弾性体５ｂは、ゴミ袋収納器３よりゴミ袋６を簡単に取り出せ、また手触りを良くすることを目的としており、ポリウレタン樹脂等の弾性を有する材料でもよい。補助具５の２本の柱状体５ａは断面が四角、凸又は丸形状でもよい。【００１８】  図５は、補助具５にゴミ袋６を三つ折にする場合の説明図である。積層されたゴミ袋６のほぼ中央部に補助具５を載せ、ゴミ袋６の両端を織り込むことで、図６に示すゴミ袋カセット４となる。
【産業上の利用可能性】
【００１９】  これまで、ゴミ袋は一旦包装袋から開封すると整理が困難であり、包装袋から開封された複数枚のゴミ袋より１枚取り出すには別のゴミ袋より引き剥がす作業が伴っていた。また、家庭内の一般廃棄物をゴミとして出す場合、自治体の指定のゴミ袋に入れて出さねばならず、ゴミ袋の保管と整理整頓は家庭のゴミを出す人にとって大きな問題であった。これらの問題点が解決され、安価で供給でき、場所も取らず保管でき簡単に１枚のゴミ袋を取り出すことができる。
【図面の簡単な説明】
【００２０】
【図１】冷蔵庫と食器棚が並んで設置された台所のイメージ図である。
【図２】冷蔵庫にゴミ袋収納器を取り付けた状態の図である。
【図３】ゴミ袋収納器の構造を示す図である。
【図４】ゴミ袋カセットの補助具を示す図である。
【図５】ゴミ袋に補助具を載せた状態を示す図である。
【図６】補助具にゴミ袋を三つ折りに折り畳んだカセット状態のゴミ袋の図である。
【符号の説明】
【００２１】    １    冷蔵庫
２    食器棚
３    ゴミ袋収納器
３ａ  取付板
３ｂ  収納箱
３ｃ  収納重ね箱
３ｄ  上部空間
３ｅ  ゴミ袋取出口
３ｆ  前部ゴミ袋取出口
４    ゴミ袋カセット
５    補助具
５ａ  柱状体
５ｂ  弾性体
５ｃ  フック部
６    ゴミ袋
【図１】
0003145024.tif 000003
【図２】
0003145024.tif 000004
【図３】
0003145024.tif 000005
【図４】
0003145024.tif 000006
【図５】
0003145024.tif 000007
【図６】
0003145024.tif 000008